(57)【要約】  【課題】シートの内面に発生する結露水を受け止めて所定の場所へ誘導、排除することが可能に構成した結露受け機能を有するシート止着部材を提供する。  【解決手段】カール部は、側壁の開口縁部の位置から外向きにシート止着部材のシート止着溝へ止着されたシートの展張方向とほぼ同じ向きへ延長して側壁との間に略Ｖ字形の結露受け溝を形成すると共に、その先端は裏側へ折り返して重ね合わせた形状とされている。【選択図】  【図１】
2005124526.tif 000002
【特許請求の範囲】
【請求項１】
開口部を幅狭に形成されたシート止着溝を有し、前記シート止着溝を形成する両側壁の開口縁部に外向きのカール部が形成されている、ビニールハウス等のシート止着部材において、
前記カール部は、側壁の開口縁部の位置から外向きに、当該シート止着部材のシート止着溝へ止着されたシートの展張方向とほぼ同じ向きへ延長されて側壁との間に略Ｖ字形の結露受け溝を形成すると共に、その先端は裏側へ折り返して重ね合わせた形状とされていることを特徴とする、結露受け機能を有するビニールハウス等のシート止着部材。
【発明の詳細な説明】
【技術分野】
【０００１】
この発明は、簡易構造の温室として公知のいわゆるビニールハウスにおいて、その外郭被覆材である透光性のフィルム状シート（以下、単にシートと云う。）をハウス骨組みへ止着する手段として使用され、或いはビニールハウスの構築に使用される出入り口用の扉、窓枠などのシート止め枠材などとしても多用されるシート止着部材の技術分野に属し、更に言えば、前記シートの内面に発生する結露水を受け止めて所定の場所へ誘導、排除することが可能に構成した結露受け機能を有するシート止着部材に関する。
【背景技術】
【０００２】
一例を図７に示したビニールハウスには、その外郭被覆材である透光性のシートを、例えば鋼製パイプ１…で組み立てたハウス骨組みへ止着する手段としてのシート止着部材３…が、ハウスの屋根から側壁へと移行する肩の部位や、その下方の換気開口２の下縁部、地面に近い裾部、或いは妻面などに縦向き或いは横向きの態様で多数配置され、骨組みである鋼製パイプ１へは各種の連結具で取り付け固定されている。下記の特許文献１には、シート止着部材代表例が開示されている。
【０００３】
図８には、既往の代表的なシート止着部材３を使用状態で示した。このシート止着部材３は帯鋼板のロールフォーミング成形法で製造されたもので、開口部を幅狭に形成されたシート止着溝３ａを有し、このシート止着溝３ａを形成する両側壁３ｂ、３ｂの開口縁部に外向きのカール部３ｃが丸い筒状に形成されている。ビニールハウスの被覆材であるシート４は、鋼線を台形波が交互に逆向きとなる連続波形状に成形加工したバネ性の強い止め線５と共にシート止着溝３ａの中へ押し込んで止着される。
図９は既往の代表的なシート止着部材３の横断面形状を示したものである。このようにカール部３ｃは通例略円筒形状に成形されるが、図１０に示したように、カール部３ｃが縦に細長い水滴形状に成形された実施例なども公知である。
【０００４】
ところで、簡易構造の温室として公知のビニールハウスは、当然のことながら、内部が高温多湿空間となるので、外気温が下がる夜間などにはシート４の内面に多量の結露が発生し、それが成長増大して、遂には至る所に滴下する。室内で働く作業員にとって、不意に結露水の滴下を受けると甚だ気持ちが悪いものである。また、結露水の滴下が集中する場所の作物は根腐れを起こしたり、病気の発生原因にもなり易い等の問題があり、結露対策が種々研究されてきた。
【０００５】
例えば、下記の特許文献２に開示されたビニールハウスの結露等処理構造は、図１１に例示したように、シート止着部材３’の一側のカール部３ｃを延長して略Ｌ字形状の結露受部３ｄを一体的に成形し、シート４の内面に発生し成長して降下した結露水６を前記の結露受部３ｄにより受け止める構成である。当該シート止着部材３’を長手方向に相互に接続する継手部材７に集水口とこれにつながる排水ホース８を設けると、前記結露受部３ｄに受け止めた結露水を集めて地上の所定位置へ導き排除することができる。
【０００６】
【特許文献１】実公昭４８−３７７１５号公報
【特許文献２】実公平２−１２８６３号公報
【発明の開示】
【発明が解決しようとする課題】
【０００７】
上記の特許文献２に開示され、図１１に例示したビニールハウスの結露等処理構造は、  シート止着部材３’の一側のカール部３ｃを延長して略Ｌ字形状の結露受部３ｄを一体的に成形した構成であるから、シート４の内面に発生し成長して降下した結露水６を前記の結露受部３ｄにより受け止めることができ、温室の結露対策として有用ではあるが、次のような問題点もある。
このようなシート止着部材３’の製造には、略Ｌ字形状の結露受部３ｄを一連に一体成形する幅寸を付加した広幅（約２倍幅）の帯鋼板材料を必要とするので、シート止着部材３’の製造原価が飛躍的に高騰し、需要者の経済的負担の増加を余儀なくされる。また、略Ｌ字形状の結露受部３ｄの分だけシート止着部材３’としての実質幅寸も増大する（約２倍になる）ので、ビニールハウスに重要な日射を遮って日陰部分を作る割合が増加するという問題が大きい。勿論、当該シート止着部材３’を長手方向に相互に接続する継手部材７も、形状および構造が特殊な特注品を使用するほかなく、高価なものになる。
【０００８】
本発明の目的は、既往の一般的なシート止着部材３に近似の断面構造であって、ロールフォーミング装置の若干の修正、改造で容易に安価に製造することができ、使用する帯鋼板材料もほぼ同じ幅寸のものを使用することができるので製造原価は高騰せず、また、シート止着部材の実質幅寸も既往部材とほとんど変わりがなく、したがって、ビニールハウスに重要な日射を遮って日陰部分を作る割合もほとんど増加せず、勿論、当該シート止着部材を相互に接続する継手部材も既往製品をそのまま使用できて使い勝手が良い、結露受け機能を有するビニールハウス等のシート止着部材を提供することである。
【課題を解決するための手段】
【０００９】
上述した従来技術の課題を解決するための手段として、請求項１に記載した発明に係る結露受け機能を有するビニールハウス等のシート止着部材３０は、
開口部を幅狭に形成されたシート止着溝３ａを有し、前記シート止着溝３ａを形成する両側壁３ｂ、３ｂの開口縁部に外向きのカール部３ｃが形成されている、ビニールハウス等のシート止着部材において、
前記カール部３ｃは、側壁３ｂの開口縁部の位置から外向きに当該シート止着部材３０のシート止着溝３ａへ止着されたシート４の展張方向とほぼ同じ向きへ延長して側壁３ｂとの間に略Ｖ字形の結露受け溝１０を形成すると共に、その先端１１は裏側へ折り返して重ね合わせた形状とされていることを特徴とする。
【発明の効果】
【００１０】
請求項１に記載した発明に係る結露受け機能を有するビニールハウス等のシート止着部材３０は、カール部３ｃをシート止着溝３ａへ止着されたシート４の展張方向とほぼ同じ向きへ延長して側壁３ｂとの間に略Ｖ字形の結露受け溝１０を形成したから、シート４の内面に発生し成長して降下した結露水６はスムーズに前記結露受け溝１０に収容される。したがって、継手部材などに樋機能を設けることにより、前記結露受け溝１０に収容された結露水６は、長手方向へ流動させる配置とすることにより継手部材へ到達し、その樋機能により地面の所定場所へ誘導して排除できる。よって、結露水がビニールハウス内の至る所に滴下し、その中で働く作業員が不意に冷たい水滴の不快感を味わうという問題、及び結露水の滴下が集中する場所の作物が根腐れを起こしたり、病気の発生原因となり易い等の問題の解決に大きく寄与する。
【００１１】
のみならず、本発明のシート止着部材３０は、カール部３ｃを、側壁３ｂの開口縁部の位置から外向きに当該シート止着部材３０のシート止着溝３ａへ止着されたシート４の展張方向とほぼ同じ向きへ延長して側壁３ｂとの間に略Ｖ字形の結露受け溝１０を形成すると共に、その先端１１は裏側へ折り返して密接に重ね合わせた形状としたので、基本的には図９或いは図１０に示す既往の一般的なシート止着部材３に近似した断面構造であり、ロールフォーミング装置の若干の修正、改造で簡単に安価に製造することができる。しかも製造に使用する帯鋼板材料の幅寸も既往の一般的なシート止着部材３とほぼ同じ幅寸のもので足り、製造原価を高騰させない。また、シート止着部材３０としての実質幅寸も、既往の一般的なシート止着部材３の幅寸とほとんど変わりがない。従って、ビニールハウスに重要な日射を遮って日陰部分を作る割合もほとんど増加しないから、作物の育成に好ましい。勿論、当該シート止着部材３０を相互に接続する継手部材７０も既往製品をそのまま使用できるので経済的であり、使い勝手が良い。
【発明を実施するための最良の形態】
【００１２】
本発明に係るビニールハウス等のシート止着部材３０は、そのカール部３ｃを、側壁３ｂの開口縁部の位置から外向きに当該シート止着部材３０のシート止着溝３ａへ止着されたシート４の展張方向とほぼ同じ向きへ延長して、側壁３ｂとの間に略Ｖ字形の結露受け溝１０を形成すると共に、その先端１１は裏側へ密接に折り返して重ね合わせた形状として実施する。
【実施例１】
【００１３】
図１と図２は、本発明に係るシート止着部材３０が、一例として図７中に矢印Ａで指示した、ビニールハウスの屋根から側壁へと移行する肩の部位に使用された態様で示している。このシート止着部材３０は、そのカール部３ｃを、側壁３ｂの開口縁部の位置から外向き方向へ、当該シート止着部材３０のシート止着溝３ａへ止め線５で止着されたシート４の展張方向とほぼ同じ向きへ比較的短い直線部１２として延長し、もって、この直線部１２と側壁３ｂとの間に略Ｖ字形の結露受け溝１０を形成すると共に、その先端１１は裏側へ小さく短く折り返して密接に重ね合わせた形状とされている。
【００１４】
したがって、図１のシート止着部材３０において、シート止着溝３ａよりも左斜め上向き方向に展張されたシート４の内面に結露が発生し、この結露が漸次成長して大きな水滴状となり、同シート４の内面を伝って降下した場合には、シート４がカール部３ｃの直線部１２へほぼ密着した状態となり、しかもカール部３ｃの直線部１２自体が斜め上向き方向になって、その下側に位置する略Ｖ字形の結露受け溝１０は丁度上向きのいわゆる受け口状態になるので、前記のように降下した結露水６はスムーズに結露受け溝１０内へと進入して確実に効率良く収容される。
よって、図１、図２のシート止着部材３０が紙面と垂直方向（長手方向）に適度な流れ勾配を有する配置で設置されると、結露受け溝１０はいわゆる樋と同様に、収容した結露水を順次下流方向へ誘導する（流す）。
したがって、図２に例示したように、当該シート止着部材３０同士を長手方向に相互に接続する継手部材７０に、樋機能としての集水口とこれにつながる排水ホース８を設置すると、前記結露受け溝１０に収容して誘導した結露水は全て、排水ホース８で地上の所定位置へ導いて排除することができる。
【００１５】
本発明に係るシート止着部材３０は、上記カール部３ｃの直線部１２より先の先端１１を裏側へ折り返して密接に重ね合わせており、この先端１１は小さく丸い半円形状とされている。したがって、手触りが良いし、シート止着溝３ａへ止め線５で止着されたシート４が仮にパタパタ運動しても傷つけられる虞は皆無である。
【００１６】
のみならず、本発明に係るシート止着部材３０は、そのカール部３ｃを、側壁３ｂの開口縁部の位置から外向きに、当該シート止着部材３０のシート止着溝３ａへ止着されたシート４の展張方向とほぼ同じ向きへ延長して側壁３ｂとの間に略Ｖ字形の結露受け溝１０を形成すると共に、その先端１１は裏側へ折り返して重ね合わせた形状としているので、基本的には図９或いは図１０に示した既往の一般的なシート止着部材３に近似した断面構造であり、ロールフォーミング装置の若干の修正、改造で容易に安価に製造することができる。しかも当該シート止着部材３０の製造に使用する帯鋼板材料の幅寸は既往の一般的なシート止着部材３とほぼ同じ幅寸のものを使用することができ、製造原価を高騰させない。また、シート止着部材３０としての実質幅寸も、既往の一般的なシート止着部材３の幅寸とほとんど変わりがないから、ビニールハウスに重要な日射を遮って日陰部分を作る割合もほとんど増加せず、作物の育成に好適である。勿論、当該シート止着部材３０同士を相互に接続する継手部材７０も既往製品をそのまま使用できるから経済的であり、使い勝手が良い。
【実施例２】
【００１７】
次に、図３に示したシート止着部材３０の基本的形状は、上記第１実施例と同様であるが、そのカール部３ｃを、側壁３ｂの開口縁部の位置から外向きに略水平横向き方向へ直線的に延長し、中間位置で下向きにくの字形状に屈曲させ、もって、当該シート止着部材３０のシート止着溝３ａへ止着されたシート４の展張方向とほぼ同じ向きへ屈曲部１３として延長した構成であり、前記屈曲部１３が側壁３ｂとの間に略Ｖ字形の結露受け溝１０を形成すると共に、その先端１１は裏側へ折り返して密接に重ね合わせた形状とされていることを特徴としている。
【００１８】
したがって、このシート止着部材３０の場合も、シート止着溝３ａへ止着されたシート４は、カール部３ｃの屈曲部１３へほぼ密着した状態となり、その下側に位置する略Ｖ字形の結露受け溝１０は丁度上向きのいわゆる受け口状態の溝になるので、シート４の内面を伝って降下した結露水６は、スムーズに結露受け溝１０内へと進入して収容されるのである。
よって、このシート止着部材３０が長手方向に適度な流れ勾配を有する配置で設置されると、結露受け溝１０はいわゆる樋と同様に、収容した結露水を順次下流方向へ流し誘導する。
また、上記した屈曲部１３より先の先端１１は裏側へ折り返して密接に重ね合わせ、先端を小さく丸い半円形状としているので、手触りが良いし、シート止着溝３ａへ止め線５で止着されたシート４が仮にパタパタ運動しても傷つける虞は皆無である。
【実施例３】
【００１９】
図４は、図１及び図２に示したシート止着部材３０のシート止着溝３ａへ止め線５で止着されたシート４のほかに、左右の結露受け溝１０、１０の受け口部分へ掛け止める玉縁４０、４０を両側縁に形成したカバー部材４１により第２のシート４’を重ね張りした実施例を示している。カバー部材４１の玉縁４０によるシート４’の重ね張りにおいても、結露受け溝１０、１０の受け口がかなり広く開いているので、玉縁４０の引っ掛かり状態が確実で安定しており、シート４’の強力な止着を達成できる。それでいてバールとかドライバの如き工具を用意すれば、カバー部材４１を引き剥がすことは比較的容易に可能であり、シート４、４’の張り替えにも支障はない。こうした２枚のシート４、４’の重ね張りの必要性は、ビニールハウスの断熱性を高めたり、夏期の強い日射しを遮る黒紗シートを張る場合に好都合である。カバー部材４１は、プラスチックの押し出し成形品又はアルミニュームの押し出し成形品などとして容易に製造できる。
【実施例４】
【００２０】
図５は、同じく２枚のシート４、４’を重ね張りする実施例であるが、カバー部材５１の形状、機能が、上記図４に示したカバー部材４１とは若干異なる。本実施例のカバー部材５１は、図中左側の玉縁５０が、その内面側に瘤状に小さな突条５２を有し、前記突条５２がシート止着部材３０における片側の結露受け溝１０を形成する先端１１へ確実に引っ掛かってて止まる構成である。他方、図５の右側縁には、やはりシート止着部材３０における結露受け溝１０を形成する先端１１へ確実に引っ掛かる鈎状部５３が形成され、その延長部分は片仮名の「ノ」の字形状にシート止着部材３０の側壁外面へ弧状に当たる取っ手部５４を一連に形成した構成とされている。
したがって、このカバー部材５１は、図５中に点線で使用法を図示したように、先ずはシート止着部材３０における左側の結露受け溝１０を形成する先端１１へカバー部材５１の左側の突条５２を引っ掛ける。そして、同右側の鈎状部５３をシート４’と共にシート止着部材３０の結露受け溝１０の受け口部分へ強く押し込む。すると、鈎状部５３が結露受け溝１０の受け口部分の先端１１へ引っ掛かるように止まり、シート４’は取っ手部５４に沿って柔らかく押さえられた形で展張され、確実で安定したシート４’の強力な止着が達成されるのである。シートの張り替えなどでカバー部材５１を引き剥がす必要のある時は、やはりバールとかドライバの如き工具で取っ手部５４に力を加えると、比較的容易に引き外すことができる。  
【実施例５】
【００２１】
図６ＡとＢは、本発明に係るシート止着部材３０の更に異なる断面形状の実施例を示している。要するに、当該シート止着部材３０のシート止着溝３ａへ止め線で止着されるシートの展張方向は、例えば図７に例示したビニールハウスを参照すると明らかなように、該シート止着部材３０を設置する場所（部位）により、或いはシートが風などにあおられてパタパタ運動する条件によって種々異なる。
【００２２】
そうしたシートの展張方向の多様性に対処するバリエーションとして、図６Ａは、シート止着部材３０のカール部３ｃを、側壁３ｂの開口縁部の位置から外向きに少し斜め上向き方向へ直線的に延長して、当該シート止着部材３０のシート止着溝３ａへ止着されたシート４の展張方向とほぼ同じ向きの直線部１４を形成し、この直線部１４が側壁３ｂとの間に略Ｖ字形の結露受け溝１０を形成した実施例を示している。直線部１４の先端１１は裏側へ折り返して密接に重ね合わせた形状とすることに変わりはない。
図６Ｂは、シート止着部材３０のカール部３ｃを、側壁３ｂの開口縁部の位置から外向きに略水平に直線的に延長して、当該シート止着部材３０のシート止着溝３ａへ止着されたシート４の展張方向とほぼ同じ向きに延長した直線部１５を形成し、この直線部１５が側壁３ｂとの間に略Ｖ字形の結露受け溝１０を形成した実施例を示している。直線部１５の先端１１は裏側へ折り返して密接に重ね合わせた形状とされている。
これらのシート止着部材３０の使用方法及び奏する作用効果は、上記の各実施例と同様である。
【図面の簡単な説明】
【００２３】
【図１】本発明に係るシート止着部材を使用状態で示した側面図である。
【図２】同シート止着部材の使用状態を示した斜視図である。
【図３】異なるシート止着部材を使用状態で示した側面図である。
【図４】本発明に係るシート止着部材の異なる使用状態を示した側面図である。
【図５】本発明に係るシート止着部材の更に異なる使用状態を示した側面図である。
【図６】ＡとＢは本発明に係るシート止着部材の異なる断面形状を示した横断面図である。
【図７】ビニールハウスの一例を示した斜視図である。
【図８】既往のシート止着部材の使用状態を示した斜視図である。
【図９】既往のシート止着部材を示した横断面図である。
【図１０】既往のシート止着部材の異なる例を示した横断面図である。
【図１１】結露受けに関する従来技術を示した断面図である。
【符号の説明】
【００２４】
３ａ      シート止着溝
３ｂ      側壁
３ｃ      カール部
３０      シート止着部材
１０      結露受け溝
１１      先端
【図１】
2005124526.tif 000003
【図２】
2005124526.tif 000004
【図３】
2005124526.tif 000005
【図４】
2005124526.tif 000006
【図５】
2005124526.tif 000007
【図６】
2005124526.tif 000008
【図７】
2005124526.tif 000009
【図８】
2005124526.tif 000010
【図９】
2005124526.tif 000011
【図１０】
2005124526.tif 000012
【図１１】
2005124526.tif 000013
【手続補正書】
【提出日】平成15年10月28日(2003.10.28)
【手続補正１】
【補正対象書類名】図面
【補正対象項目名】図４
【補正方法】変更
【補正の内容】
【図４】
2005124526.tif 000014